(57)【要約】本発明は、ｎ本の複数のチャンネルを有するＩＲ送信器（２）と、このＩＲ送信器（２）のｎ本のチャンネルと周波数を合わされたｎ本のチャンネルを有するＩＲ受信器（１２）と、前記ＩＲ送信器（２）と前記ＩＲ受信器（１２）の間のｎ本の接続チャンネルを介して動作させるｎ本のチャンネルを有するとともにＩＲ受信器（１２）と接続されているＲＦ送信器（１８）と、それぞれが、ユーザ装置（８ｉ）と直接接続されるとともに前記ＲＦ送信器（１８）のｎ本のチャンネルの中の１本に周波数を合わされたｎ個のＲＦ受信器（６ｉ）からなることを特徴とするマルチユーザ・リモートコントロール装置である。
2004517560.tif 000002
【特許請求の範囲】
【請求項１】
ｎ本の複数のチャンネルを有するＩＲ送信器（２）と、
このＩＲ送信器（２）のｎ本のチャンネルと周波数を合わされたｎ本のチャンネルを有するＩＲ受信器（１２）と、
前記ＩＲ送信器（２）と前記ＩＲ受信器（１２）の間のｎ本の接続チャンネルを介して動作させるｎ本のチャンネルを有するとともにＩＲ受信器（１２）と接続されているＲＦ送信器（１８）と、
それぞれが、ユーザ装置（８ｉ）と直接接続されるとともに前記ＲＦ送信器（１８）のｎ本のチャンネルの中の１本に周波数を合わされたｎ個のＲＦ受信器（６ｉ）と
からなることを特徴とするマルチユーザ・リモートコントロール装置。
【請求項２】
少なくとも１つのユーザ装置（８ｉ）と周波数を合わされるＲＦ受信器（６ｉ）を直接制御するための少なくとも１つのＲＦ送信器からなることを特徴とする請求項１に記載の装置。
【請求項３】
ユーザ装置（８ｉ）に接続されているＲＦ受信器（６ｉ）を直接制御するための少なくとも１つのＲＦ送信器に物理的に接続されているＩＲ送信器（２）を有することを特徴とする請求項１に記載の装置。
【請求項４】
前記ＩＲ送信器（２）が、テレビ受信器（１０）のための標準のリモートコントロール装置であることを特徴とする請求項１に記載の装置。
【請求項５】
互いに接続されている前記ＩＲ受信器（１２）と前記ＲＦ送信器（１８）が、前記テレビ受信器（１０）に内蔵されていることを特徴とする請求項４に記載の装置。
【請求項６】
少なくとも一つのユーザ装置（８ｉ）に接続した追加のＲＦ送信器（２０ｉ）と、前記追加のＲＦ送信器（２０ｉ）と動作可能に同調されると共に、前記ユーザ装置（８ｉ）の状態を表示する手段（１０、３０）を有する単独のＲＦ受信器（２２）からなることを特徴とする請求項１記載の装置。
【請求項７】
オペレータの任意の指令によって独立にその状態を変更することが可能な少なくとも一つの使用された装置（２０ｉ）からなることを特徴とする請求項６記載の装置。
【請求項８】
少なくとも一つのユーザ装置（８ｉ）を制御するＲＦ受信器（６ｉ）に接続した追加のＲＦ送信器（２０ｉ）と、前記追加のＲＦ送信器（２０ｉ）と動作可能に同調した単独のＲＦ受信器（２２）からなり、
該ＲＦ受信器（２２）は前記ユーザ装置（８ｉ）の状態を示す手段を有し、
前記追加のＲＦ送信器（２０ｉ）は、前記ＲＦ送信器（１８）によって作用される制御に関する応答情報、及び／又は、前記ユーザ装置（８ｉ）の作動状態に関する応答情報を送信することを特徴とする請求項１記載の装置。
【請求項９】
前記単独のＲＦ受信器（２２）は、前記テレビ受信器（１０）に内蔵されていることを特徴とする請求項６及び８記載の装置。
【請求項１０】
少なくとも一つのＲＦ受信器（６ｉ）が、関連するユーザ装置（８ｉ）に統合されることを特徴とする請求項１記載の装置。
【請求項１１】
制御中のユーザ装置（８ｉ）に関する状態をテレビ受信器（１０）の画面上に表示するためのソフトウェアからなることを特徴とする請求項９記載の装置。
【請求項１２】
前記ユーザ装置（８ｉ）の状態をリモート送信するためのモデムが前記単独のＲＦ受信器（２２）に接続されていることを特徴とする請求項６及び８記載の装置。
【請求項１３】
制御中のユーザ装置（８ｉ）に関する状態を表示するためのソフトウェアが、テレビ受信器（１０）の一部を構成していることを特徴とする請求項１１記載の装置。
【請求項１４】
テレビ受信器（１０）のための前記リモートコントローラが、前記ユーザ装置（８ｉ）を制御するために、テレビ受信器制御チャンネルとは異なり且つ専用キーで選択されるｎ本のチャンネルを提供されていることを特徴とする請求項５記載の装置。
【請求項１５】
テレビ受信器（１０）のための前記リモートコントローラが、適切な追加キーでの切り換えの後、前記ユーザ装置（８ｉ）を制御するために、テレビ受信器制御チャンネルとは異なり且つ専用キーで選択されないｎ本のチャンネルを提供されていることを特徴とする請求項５記載の装置。
【請求項１６】
前記ＩＲ受信器（１２）と前記ＲＦ送信器と前記リモートコントローラを含み、前記ＩＲ受信器（１２）と前記ＲＦ送信器（１８）は、前記テレビ受信器（１０）と一定の距離を置いて設置され、前記リモートコントローラは、前記ユーザ装置（８ｉ）を制御するために、前記テレビ受信器を制御するための同一チャンネルを使用することを特徴とする請求項４記載の装置。
【請求項１７】
各ユーザ装置（８ｉ）と、一つのＲＦ送信器（１８ｉ）に動作可能に接続された一つのＲＦ受信器（６ｉ）と、同一チャンネルを用いて、単独のＩＲ送信器（２）と個々に信号交換可能である全てのＩＲ受信器（１２ｉ）とからなり、該一つのＲＦ受信器（６ｉ）は対応するＩＲ受信器（１２ｉ）と同調し、他のＲＦ送信器（１８ｉ）から分けられていることを特徴とする請求項１記載の装置。
【発明の詳細な説明】
【０００１】
本発明は、マルチユーザ・リモートコントロール装置に関する。快適さのため或いは取り付けが大変なケーブルの必要性を避けるためのいずれかの理由による任意のタイプの遠隔で制御する既知の用具（ライト、カーテン、ドア、家庭用電気器具、巻上シャッター、アラーム等）は融通が利かず、修正が困難である。
【０００２】
リモートコントロール装置の基礎となる一般的な原理は、制御されるユーザ装置と接続した固定式信号受信器と受信器に周波数が合わせられ、コントロール信号を受信器へ送信することが可能な携帯型送信器を用いる事である。
【０００３】
既知のリモートコントロール装置は用いられる信号を基にしてそれぞれ異なり、無線（ＲＦ）信号を用いるリモートコントロール装置と赤外線（ＩＲ）信号を用いるリモートコントロール装置へ本質的に分けられる。
【０００４】
無線信号は、透過性の点でより有効であり、不可視状態、特に受信器が制御される機器に内蔵されている場合でも受信器に到達することが可能である。
その反面、無線信号には、他の無線信号を妨げるリスク、いくつものチャンネルを用いる必要があることは、他のユーザの装置に望ましくないコマンドを送信するリスク等があり限界があり、それと同数の制御される必要がある。
【０００５】
対照的に赤外線信号は、外部の障害の影響を受けず指向性であり、それゆえ、ユーザ装置が同一の環境に存在し、信号間に充分なスペースが提供されても、単一チャンネルを介して複数の装置が制御されることを可能にするが、反面赤外線信号は障害を透過ことができず、送信器から受信器が見える時のみ操作が可能である。
【０００６】
本発明の目的は、ＩＲとＲＦリモートコントロール装置の利点を残し、全ての欠点を排除することである。本発明の他の目的は、例え離れた距離に置かれ可視できない場合でもユーザの複数の装置を制御するために、通常のＩＲリモートコントローラ、特にテレビ受信器のリモートコントローラを用いることである。
【０００７】
この点においてリモートコントロール装置は近年、赤外線送信器から不可視のユーザの装置を、赤外線信号を用いて遠く離れていても制御するものが提案されている。
実際に、ＩＲリモートコントローラを用いて制御すると共に提供されるこの装置において、制御されるユーザの装置と接続するＩＲ受信器（ビデオテープレコーダ、衛星放送の受信器、デコーダー、エアコン等）は、ＩＲ送信器とＩＲ受信器の間に、第１ＩＲ／ＲＦ変換器と第２ＲＦ／ＩＲ変換器が置かれることが必要である。第１ＩＲ／ＲＦ変換器はユーザの装置を制御し、従来のリモートコントローラから赤外線を受信し、無線信号へ変換することが可能な部屋の中に位置し、ユーザの装置が制御され部屋の中に位置する第２ＲＦ／ＩＲ変換器が存在する。
従って２つの変換器は、無線信号で赤外線信号の限界を部分的に克服することにより、赤外線を用いた通常のリモートコントロール装置の実施能力を拡大する機能を実行する。
【０００８】
しかしながら、この既知の解決方法でも限界があり、この解決法では明らかに、ＩＲ受信器からなるユーザの装置を制御することが提供される必要があり、また、ライト、カーテン、アラーム、巻上シャッターのような従来のＲＦ受信器によって制御されるように組み立てられた任意の装置を制御することは不可能であり、ユーザの装置を制御するためには、受信した赤外線信号をＲＦ信号に変換する必要があった。
結果として、本発明の更なる目的は不可視のユーザの装置を、高周波コントロールシステムを用いることによって制御することである。
【０００９】
以下の記載から明らかとなる、これら及び更なる目的は本発明に沿って、請求項１記載のマルチユーザ・リモートコントロール装置によって成し遂げられる。
【００１０】
本発明の好適な実施形態のいくつかは添付の図面を参照して記載される。図１及び図２に示される実施形態において、参照の数８ｉで示され、対応するユーザ装置と接続し、本発明に沿ったリモートコントロール装置は、携帯型送信器２、変換及び処理ユニット４及び複数の受信器６ｉ（ｉ＝２，３・・・ｎ）からなる。
【００１１】
送信器２は、ｎ本のチャンネルを有する無線（ＩＲ）信号送信器である。該送信器は、テレビ受信器１０或いは同様の専用装置と、テレビ受信器を対象とすると共に複数のキーと一体となったリモートコントロール装置と、テレビ受信器を対象としたキーパッドと一体となったリモートコントロール装置と、専用のキーパッドへ変換するための追加のキー等からなる従来のリモートコントロール装置で構成することができる。
【００１２】
基本的種類での変換及び処理ユニット４は、
ＩＲ送信器２のｎ本のチャンネルに周波数を合わせたｎ本のチャンネルを有するＩＲ信号用の受信器１２と、
装置を制御するためのマイクロコントローラ１４と、
マイクロコントローラ１４と周波数を合わせた不揮発性メモリー１６と、
ｎ本のチャンネルを有するＲＦ無線信号送信器１８と、
からなる。
【００１３】
受信器６ｉはｎ個のＲＦ信号受信器であり、変換処理ユニット４に含まれるＲＦ送信器１８のｎ本のチャンネルに周波数が合わせられている。
【００１４】
受信器６ｉはそれぞれ、ドア、ゲート、巻上シャッター、カーテン、ライト、アラーム等の制御に関連したユーザ装置８ｉに接続されている。
【００１５】
ＲＦ受信器６’の中には、図１の長方形６’−８’に図示されるように、関連したユーザ装置に統合することもできる。
【００１６】
本発明のリモートコントロール装置は下記の方法により作動する。
【００１７】
例えばオペレータがゲートを遠隔操作する場合、リモートコントローラ２（ＩＲ送信器）を変換処理ユニット４の方向に向け、対応キーを押す。
【００１８】
送信器２から送信された、コード化されたＩＲ信号を受信器１２が受信し、マイクロコントローラ１４がＩＲ信号をＲＦ信号に変換することにより送信器１８に送信された後、前記信号に周波数を合わせた受信器６ｉに送信され、ゲート上の作動装置８ｉが作動する。
【００１９】
この方法において、ＩＲ信号からＲＦ信号への変換という利点により、命令が送信された場所から間に障害物があったとしても、ゲート作動装置を作動させることができる。
【００２０】
例えばオペレータが外部のライトを点灯させる場合は、リモートコントローラの対応キーを単に押すだけでＩＲ信号が生じ、ＩＲ信号は変換処理ユニット４のＩＲ受信器１２に受信される。ここでＩＲ信号はコントロール信号に変換された後、送信器１８に送信され、適切なＲＦチャンネルを介し無線信号は受信器６ｉに送信され、ライトが点灯される。
【００２１】
前記の通り、送信器２はテレビ受信器１０のための標準のリモートコントローラから構成してもよい。リモートコントローラは異なる機能を生じさせるためのＩＲ信号を送信するキーを有してもよい。もしくは、テレビ受信器のリモートコントローラはテレビ受信器の操作のための標準キーだけではなく、さらに本発明目的のために用いられるキーも有することができる。
【００２２】
異なる実施形態は図３に図示されているように、変換処理ユニット４はテレビ受信器の中に内蔵されており、該テレビ受信器が提供されるか、もしくはテレビ受信器自体が制御下の全ユーザ装置の状態を画面に映し出すためのソフトウェアを有し、該テレビ受信器が提供されてもよい。しかし全ユーザ装置の状態を映し出すだめには、本発明の装置がユーザ装置８ｉのそれぞれに対して、ＲＦ受信器６ｉに接続する追加のＲＦ送信器２０ｉを有することが必要で、ＲＦ送信器は命令を動作もしくは停止させる通信の受信を確認する信号を生じさせる。
【００２３】
この確認信号は変換処理ユニット４に備わる受信器２２により受信される。
【００２４】
テレビ受信器１０の画面においてユーザ装置８ｉの状態を表示するソフトウェアを有していない場合、ユーザ装置の状態は装置４のパネルに表示され、テレビ受信器の画面には表示されない。この場合、処理装置４は表示パネルだけでなく、ユーザ装置の状態を視覚的、聴覚的に表示する回路３０も有する。もしくは、受信器２２はユーザ装置８ｉの状態をリモート送信するためにモデムに接続されることもできる。
【００２５】
図示されていない他の実施形態において、テレビ受信器１０同様、同じリモートコントローラ２の同一キー、同一チャンネルが異なるユーザ装置を制御するために用いられる。しかしながらこの場合、変換処理ユニット４はテレビ受信器から離れた位置に配置されなくてはならない。それはテレビ受信器１０もしくは他のユーザ装置８ｉを選択的に操作するために、リモートコントローラの指向性を利用するためである。
【００２６】
特に変換処理ユニット４のリモートコントローラの互換性において、装置の正確な操作はこの互換性を予め確立する必要がある。すなわち、リモートコントローラ２は変換処理ユニット４により認識され、信号交換を可能とする必要がある。
【００２７】
以上の趣旨により変換処理ユニット４は、ＩＲリモートコントローラごとに異なる商業上使用されるコードを覚えさせるため、内部に回路２４を有する。この回路はリモートコントローラとの信号交換のために装置４に指示する従来のシステムを選択可能としている。
【００２８】
変換処理ユニット４は異なる受信器６ｉとも信号交換を可能とし、またそのために多様なＲＦチャンネルの信号を有する必要がある。これらのコードと互換性のあるＲＦ受信器のみを作動させる場合は、これらのコードは変換処理ユニット４に対して別個化されるものとする。もしくはすでにユーザ装置がインストールされているＲＦ受信器を作動させる場合は、ＲＦ受信器は関連したＲＦチャンネルのコードを予め覚える必要がある。
【００２９】
第１例として、変換処理ユニット４は、マイクロコントローラ１４によって命令された時、コードをＲＦ送信器１８に送ることができるエンコーダ２６からなる。
第２例として、変換処理ユニット４は、既にインストールされているユーザ装置８のＲＦリモートコントローラのコードを覚えさせるための回路２８からなる。
既にインストールされているユーザ装置に関係しているＲＦリモートコントローラのチャンネルのコードを覚えさせるための回路２８が、ＲＦ受信器を必要不可欠なものとしているので、回路は別のユーザ装置への動作及び停止命令の確認信号を受信する受信器２２の機能も果たすことができる。
【００３０】
本発明のマルチユーザ・リモートコントロール装置には、ＩＲかＲＦかに関わらず、従来のマルチユーザ・リモートコントロール装置よりも、はるかに利点があるということは、上記記載で明らかであり、特に、
発信器が固定された設備間に発生するＲＦ信号を用いている間、モバイル・リモートコントローラ２が、ＩＲ信号を用いており、実用上、無線の混線に影響されず、外部信号による干渉を最小にまで減らす、
単独のリモートコントローラが、複数のユーザ装置に対して用いられることができ、実用上、全てのタイプのＩＲ及びＲＦシステム間で互換性があることである。
【００３１】
好ましい実施形態としては、図４に示されているように、それぞれのユーザ装置（例えば、巻上シャッターの巻上モーター）は、接続された変換処理ユニット４を有してもよい。その変換処理ユニットは、ユーザ装置がインストールされている部屋に存在してもよい。この様式では、単独又は２つのチャンネルしかない単純なＩＲリモートコントローラでも、実用上、無限のユーザ装置を制御することができ、そのリモートコントローラが、様々な部屋に持ち込まれ、その部屋の巻上シャッターを動作させる。
【００３２】
図示されない、異なる実施形態としては、リモートコントローラはｎ本のＩＲチャンネルと接続している複数のキーだけではなく、ＲＦチャンネルと接続している１つ以上のキーからなる。そのリモートコントローラは、受信器６の予め決められた番号に対して命令を直接送信する。
ＲＦチャンネルに接続しているこれらのキーは、テレビ受信器１０のリモートコントローラ２とは別のリモートコントローラの一部となるのは当然のことである。
【００３３】
図示されない、異なる実施形態として、１つ以上のユーザ装置８ｉと接続されているＲＦ送信器２０ｉは、受信器２２に、そのユーザ装置の状態を自動的に送信することができる。ＲＦ送信器２０ｉは、オペレータによって事前に命令がなされているという事実に関係なく、送信することができる。もし、ユーザ装置８ｉが、例えば、１つのアラーム・センサーで構成される場合は、この実施形態は利点がある。
【００３４】
図示されない、異なる実施形態として、オペレータは、ＲＦリモートコントローラで、直接受信器２２を操作することができる。もし、ユーザ装置８ｉが、危険や緊急事態を知らせなければならない場合（リモート・アシスタンス）、この実施形態には利点がある。
【図面の簡単な説明】
【図１】
本発明に係るリモートコントロール装置の第１実施形態のブロック図である。
【図２】
変換処理ユニットの詳細な基本構造である。
【図３】
本発明に係る装置の他の実施形態である。
【図４】
本発明の特定の実施を示す。
【国際公開パンフレット】
2004517560.tif 000003
2004517560.tif 000004
2004517560.tif 000005
2004517560.tif 000006
2004517560.tif 000007
2004517560.tif 000008
2004517560.tif 000009
2004517560.tif 000010
2004517560.tif 000011
2004517560.tif 000012
2004517560.tif 000013
2004517560.tif 000014
2004517560.tif 000015
2004517560.tif 000016
2004517560.tif 000017
【国際調査報告】
2004517560.tif 000018
2004517560.tif 000019
2004517560.tif 000020